(57)【特許請求の範囲】
【請求項１】
少くも一対の根太材上に、該根太材の長手方向に沿って床材を順次並べて敷設する細長い床材の敷設装置において、前記床材の長手方向に沿う一側に取付金具を前記根太材の直上に位置するようにして固定し、該取付金具には、前記根太材の長手方向に沿う一側から他の一側方向にして係止部片を突設し、この係止部片を係合する係合溝を、根太材の長手方向に沿う前記他の一側に床材受支片を設けて構成し、この係合溝に前記係止部片を係合させたとき、隣接する他の床材の高さ方向の全部又は一部の直上に位置する部片を前記取付金具に設けると共に、適宜の前記根太材の長手方向に沿う前記一側に設けた床材受支片には、着脱手段によって前記床材に止着するひれ部片を設けた細長い床材の敷設装置。
【請求項２】
少くも一対の根太材上に、該根太材の長手方向に沿って床材を順次並べて敷設する細長い床材の敷設装置において、前記床材の長手方向に沿う一側に取付金具を、他の一側に第二取付金具をそれぞれ前記根太材の直上に位置するようにして固定し、取付金具には、根太材の長手方向に沿う一側から他の一側方向にして係止部片を突設し、この係止部片を係合する係合溝を、根太材の長手方向に沿う前記他の一側に床材受支片を設けて構成し、この係合溝に前記係止部片を係合させたとき、隣接する他の前記床材に固定した前記第二取付金具の高さ方向の全部又は一部の直上に位置する部片を前記取付金具に設けると共に、適宜の前記根太材の長手方向に沿う前記一側に設けた床材受支片には、着脱手段によって前記床材に止着するひれ部片を設けた細長い床材の敷設装置。
【請求項３】
少くとも一対の根太材上に、該根太材の長手方向に沿って床材を順次並べて敷設する細長い床材の敷設装置において、前記床材の長手方向に沿う両側に取付金具をそれぞれ前記根太材の直上に位置するようにして固定し、各取付金具には、前記根太材の長手方向に沿う一側から他の一側方向にして係止部片を突設し、この係止部片を係合する係合溝を、根太材の長手方向に沿う前記他の一側に床材受支片を設けた構成すると共に、前記根太材の長手方向に沿う前記一側に設けた床材受支片には、着脱手段によって前記床材に止着するひれ部片を設けた、細長い床材の敷設装置。
【発明の詳細な説明】
【０００１】
【産業上の利用分野】
本発明は、建物内やテラス或いはバルコニーのコンクリートスラブ上に敷設する細長い床材（概し、木材製のデッキ材）を根太材（大引と識別ができない場合があり、ここでいう根太材とは前記床材を直接受支するものをいう）に組付けるために適用する、細長い床材の敷設装置に関するものである。
【０００２】
【従来の技術】
例えば、特開平１１−１００９７８号公報に所載のように隣接する床材同士を結合材で互いに結合する一方で、該結合材を根太材に組付けるようにしているのが一般である。
【０００３】
【発明が解決しようとする課題】
従って、従来例は、長手方向に沿って隣接する床材同士が少くも根太材との組付け関係において関連し合っているため、適宜の床材のみを特定して、取り付け、取り外しができない構造になっており、床材装置の部分的な改修に不便を来たしている。
【０００４】
本発明は、特定の床材を単独で取り替えのできる床装置を提供すべく創案したものである。
【０００５】
【課題を解決するための手段】
少くとも一対の根太材上に、該根太材の長手方向に沿って床材を順次並べて敷設する細長い床材の敷設装置において、前記床材の長手方向に沿う両側に取付金具をそれぞれ前記根太材の直上に位置するようにして固定し、各取付金具には、前記根太材の長手方向に沿う一側から他の一側方向にして係止部片を突設し、この係止部片を係合する係合溝を、根太材の長手方向に沿う前記他の一側に床材受支片を設けた構成すると共に、前記根太材の長手方向に沿う前記一側に設けた床材受支片には、着脱手段によって前記床材に止着するひれ部片を設けた構成とする。また、他の手段としては、前記装置において、前記床材の長手方向に沿う一側に取付金具を前記根太材の直上に位置するようにして固定し、該取付金具には、前記根太材の長手方向に沿う一側から他の一側方向にして係止部片を突設し、この係止部片を係合する係合溝を、根太材の長手方向に沿う前記他の一側に床材受支片を設けて構成し、この係合溝に前記係止部片を係合させたとき、隣接する他の床材の高さ方向の全部又は一部の直上に位置する部片を前記取付金具に設けると共に、適宜の前記根太材の長手方向に沿う前記一側に設けた床材受支片には、着脱手段によって前記床材に止着するひれ部片を設けた構成とし、さらにその他の手段として、前記装置において、前記床材の長手方向に沿う一側に取付金具を、他の一側に第二取付金具をそれぞれ前記根太材の直上に位置するようにして固定し、取付金具には、根太材の長手方向に沿う一側から他の一側方向にして係止部片を突設し、この係止部片を係合する係合溝を、前記根太材の長手方向に沿う一側に床材受支片を設けて構成し、この係合溝に前記係止部片を係合させたとき、隣接する他の前記床材に固定した前記第二取付金具の高さ方向の全部又は一部の直上に位置する部片を前記取付金具に設けると共に、適宜の前記根太材の長手方向に沿う前記一側に設けた床材受支片には、着脱手段によって前記床材に止着するひれ部片を設けた構成としたものである。
【０００６】
【実施例】
図面は本発明に細長い床材の敷設装置の一実施例を示し、図１は床材と根太材の関係を示す平面図、図２は根太端末部分側の縦断面図、図３は図２のｘ−ｘ線断面図、図４は根太中間部分の縦断面図、図５は床材の取外し過程中の一部欠截平面図、図６は第二実施例の縦断面図、図７は床材と根太材の関係を示す第二実施例の断面図である。
【０００７】
本発明に係る細長い床材の敷設装置は、互いに平行させて配置した一対の根太材１，１´に細長い床材２，…を該床材１，１´に直交させ、かつ、長手方向に沿って順次並べて構成するものであって、根太材１，１´は、方形筒状の主体３の上面の長手方向に沿う両側に、それぞれ床材受支片４，５を立設して構成したものである。この根太材１，１´の長手方向に沿う一側（「請求項」では「長手方向に沿う他の一側」としてある。以下同じ）に配した一方の床材受支片４は、立上り部片４ａと該立上り部片４ａの上端に、前記主体３の長手方向に沿う一側から他の一側方向（「請求項」では、「一側」と「他の一側」の方向が逆にしてある。以下同じ）に突出させて連設した横部片４ｂとで成り、この床材受支片４を前記の通り主体３の一側に設けることにより、前記横部片４ｂと前記主体３とで構成する、前記長手方向に沿う前記他の一側側開口の係合溝６が根太材１，１´に設けられる。
【０００８】
なお、床材受支片４に段部を設けてあるのは補強のためと取付金具７に設けた係止部片２３の板厚に適合させるためである。
【０００９】
根太材１，１´の長手方向に沿う他の一側（「請求項」では「長手方向に沿う一側」としてある。以下同じ）側に設けた床材受支片５は、他の前記床材受支片４の前記立上り部片４ａと高さが一致する立上り部片５ａに床材受支片４の横部片４ｂと同方向にしてひれ部片（水平部片）５ｂを設けて構成し、床材２は、この床材受支片５と前記他の床材受支片４上に配置されて根太材１，１´上に敷設される。
【００１０】
床材２は、根太材１，１´がアルミ押出し形材で構成してあるに対し、木材と樹脂の混合材で構成してあるが、もとより、アルミ押出し形材でも良く、材質は問わない。
【００１１】
取付金具７は、下面の長手方向に沿う両側に突条９ａ，９ａを設けた、床材１，１´の長手方向に沿う方向に長い基板９の長手方向に沿う一側側に、該基板９と段違い平行状にして床材１，１´の受片１０を設け、この受片１０の自由端に、前記床材１，１´の側面を重合する垂直方向の取付片１１を立設し、該取付片１１の上方側に木ねじ１２を挿通する透孔１３を設け、取付片１１の上端には、該取付片１１に対して突設して、前記受片１０に連設した下片１５と相対する、前記受片１０と反対方向にして突出する上片１４を設けて構成し、取付片１１の前記基板９の両側を前記取付片１１乃至受片１０より左右勝手選択的に用いることができるよう突出させ、選択された該部片を根太材１，１´に設けた係合溝に係合させる係止部片２３としたものである。
【００１２】
図示、８は第二取付金具で、第二取付金具８は、取付金具７側の受片１０と同じ高さにして、根太材１，１´側の床材受支片４，５と同様に床材２，…を受ける水平方向の主体片１６の下面に脚片１７を吊設し、上面に取付片２０を立設して構成し、この第二取付金具８の前記脚片１７の中間部に取付金具８の下片１５より下側に位置するようにして下係止片１８を突設し、また、前記取付片２０には前記下係止片１８と相対向するようにして上係止片１９を設け、中間部には取付金具７と同様の木ねじ１２Ａ挿通用の透孔２１を設けて構成したものである。
【００１３】
そして、第一実施例は、床材２の長手方向に沿う一側に取付金具７を、他の一側に第二取付金具８を、前記一対の根太材１，１´の係合溝６，６の間隔（配置）幅と見合うようにして組付け、また、第二実施例は取付金具７を、第一実施例と同様に前記一対の根太材１，１´の係合溝６、６の間隔（配置）幅と見合うようにして組付け、該取付金具９を利用して床材２を根太材１，１´に組付け、敷設するのである。
【００１４】
【第一実施例】
前記の通り、第一実施例は、床材２の長手方向に沿う一側に取付金具７を、他の一側に第二取付金具８をそれぞれ配置して根太材１，１´に組付け、かつ、隣接する床材２，２間でも動きを規制するようにしたものである。
【００１５】
すなわち、一対の根太材１，１´を、各根太材１，１´が備えた係合溝６，６が互いに同じ方向に向くようにして平行させて配置し（固定し）、該根太材１，１´の係合溝６，６間の間隔幅とほぼ同様に位置するようにして一対の取付金具７，７を取付片１１において透孔１３を利用して床材２の長手方向に沿う一側（面）に木ねじ１２で止着する一方、床材２の長手方向に沿う他の一側には、取付金具７の取付位置と相対向する位置にして第二取付金具８を、取付片２０において透孔２１を利用して木ねじ１２Ａで床材２の長手方向に沿う他の一側に止着する。
【００１６】
このようにして、取付金具７と第二取付金具８を止着した床材２を、前記根太材１，１´上に取付金具７と第二取付金具８が該根太材１，１´上に存するように配して、床材２を係合溝６の開口側から奥行方向に移動させると、取付金具７の基板９の部片として取付片１１乃至受片１０より突出させた係止部片２３が係合溝６に係合され、この状態において、少くとも一方の根太材（根太材１，１´が屋内外方向に並んでいるのであれば屋外側の根太材）１の一方の床材受支片５のひれ部片５ｂと外ひれ部片５ｂ上に載置した床材２を木ねじ１２Ｂで互いに止着することにより当該床材２は根太材１，１´上に架設され、固定される。そして、次段の、同様にして取付金具７および第二取付金具８を取付けた他の床材２を、取付金具７の上片１４が第二取付金具８の上係止片１９上に、取付金具７の下片１５が第二取付金具８の下係止片１８と取付片２０との間に介在するようにして摺嵌させると、該次段の床材２は前段の床材２に組付けられ、前段の床材２と同様に、ひれ部片５ｂにおいて根太１に木ねじ１２Ｂで締め付けることにより、根太材１，１´と前段の床材と互いに固定関係が生じて敷設され、以下、床材２，…を根太材１，１´の長手方向に沿って順次並べて敷設することにより床装置を得られる。
【００１７】
この床装置中の、並設方向の両端に存する床材２は、図２で示すように、一側を根太材１，１´の一方の端末にタッピングねじ１２´で一片２４ａを止着したＬ形の止着片２４の水平方向の他の一片２４ｂを当該床材２に木ねじ１２Ｃで止着し、該端末側の床材２の他の一側に止着した第二取付金具８に次段の床材２を前記のようにして組付けるようになっており、根太材１，１´の他の一方の端末は、第二取付金具８の取付を省略した床材が前記止着片２４を用いて同様にして根太材１，１´に組付けられる。
【００１８】
また、根太材１と床材２との止着手段としては、図７（第二実施例を示すが）で示すように、床材２の端末を根太材１上に配置し、段付固定片２５の一片２５ａを床材２に挿入して該床材の部片と重ね合わせ、他の一片２５ｂを根太材１のひれ部片５ｂと木ねじ１２Ｂ´で止着する手段もある。
【００１９】
そして、根太材１，１´の両端の床材はともかくとして、並設方向の中間部に存する適宜の床材２の止着手段であるひれ部片５ｂと該床材２との木ねじ１２Ｂ或いは１２Ｂ´による止着を解除、すなわち、木ねじを取り外すと、当該床材２は、根太材１，１´は勿論、隣接する他の床材２，２とも自由（に移動できる）状態となり、必要に応じて床材２，…並設群から図４で示すように引き出すことができるのである。
【００２０】
この第一実施例の場合は、各床材２，…が根太材１，１´と固定関係を持つと共に、隣接する床材２，２同士が、互いに浮き上り方向の動きを規制するから、床材２，…の安定した敷設状態を得られる。
【００２１】
なお、第一実施例に用いた第二取付金具８を省略しても良く、第二取付金具８を省略した場合は、取付金具７を取付けた床材の前記取付金具７に隣接する床材２の側面に取付金具７に設けた上片１４と下片１５が係合する係止溝を設け、該係止溝に前記上、下片１４，１５を係合することにより、隣接する床材２，２同士は第二取付け金具８を用いた同様に互いに接合され、互いの浮き上りが規制される（請求項１に対応）。
【００２２】
【第二実施例】
第二実施例は、床材２の長手方向に沿う両側に取付金具７，７を配置して根太材１，１´と組付けるようにしたものである。
【００２３】
すなわち、第一実施例と同様に一対の根太材１，１´を、各根太材１，１´が備えた係合溝が互いに同方向に向くように平行させて配置し（固定し）、床材２には、その長手方向に沿う両側（面）において、前記根太材１，１´の係合溝６，６間の間隔幅とほぼ一致する間隔を置いて一対の取付金具７，７を取付片１１の透孔１３を利用して木ねじ１２で止着する。
【００２４】
そして、取付金具７を止着した床材２を、前記根太材１，１´上に取付金具７が該根太材１，１´上に存するように配して、床材２を係合溝６の開口側から奥行方向に移動させると、取付金具７の基板９の部片として取付片１１乃至受片１０より突出する係止部片２３が係合溝６に係合され、少くとも一方の根太材（根太材１，１´が屋内外方向に並んでいるのであれば屋外側の根太材）１上に床材２の端末を配置し、段付固定片２５の一片２５ａを床材２内に挿入して該床材の部片と重ね合わせ、他の一片２５ｂを根太材１のひれ部片５ａと木ねじ１２Ｂで止着することにより当該床材２は根太材１，１´に架設固定される。そして、次段の床材２を前段の床材２と同様に根太材１，１´上に配し、段付固定片２５を用いて根太材１に木ねじ１２Ｂ´で締め付けることにより固定され、隣接する床材２，２に取り付けた取付金具７，７（の上片１４，１４）同士は互いに接触してスペーサとして機能して床材２が敷設され、以下、床材２，…を根太材１，１´の長手方向に沿って順次並べて敷設することにより床装置を得られる。
【００２５】
なお、この第二実施例の床装置中の、並設方向の両端に存する床材２は、第一実施例を示す図２で示すように、一側を根太材１，１´の一方の端末にタッピングねじ１２´で一片２４ａを止着したＬ形の止着片２４の水平方向の他の一片２４ｂを当該床材２に木ねじ１２Ｃで止着し、該端末側の床材２の他の一側に止着した取付金具７と次段の床材２の取付金具７を前記のようにして接触させるようになっており、根太材１，１´の他の一方の端末は、取付金具７の取付けを省略した床材が前記止着片２４を用いて同様にして根太材１，１´に組付けられる。
【００２６】
また、根太材１と床材２との止着手段としては、第一実施例の図３で示すと同様に、少くとも一方の根太材（根太材１，１´が屋内外方向に並んでいるのであれば屋外側の根太材）１の一方の床材受支片５のひれ部片５ｂと該ひれ部片５ｂ上に載置した床材２を木ねじ１２Ｂで互いに止着して構成する手段もある。
【００２７】
そして、根太材１，１´の両端の床材はともかくとして、並設方向の中間部に存する適宜の床材の止着手段である段付固定片２５による止着を解除、すなわち、段付固定片２５を根太材１より取り外すと、当該床材２は、根太材１，１´から自由（に移動できる）状態となり、必要に応じて床材２，…並設群から第一実施例の図４で示すように引き出すことができるのである。
【００２８】
この第二実施例は、それぞれの床材２が単独で根太材１，１´に固定され、床材２，２同士の固定関係がないから、根太材１，１´との固定状態を解除するだけで、適宜の床材を他の床材群と無関係に取り外せ、従って、根太材１，１´との着脱操作を円滑に行うことができる。
【００２９】
【発明の効果】
本発明は前記の通りの構成であるから、表面からは互いに直交方向に位置する根太材と床材の交点部分に存する取付金具の一部のみが表面から見えるだけで、かつ、ねじ、くぎなどの頭のような無駄な突起物のない床装置を提供でき、また、必要に応じて適宜の床材を他の床材群と独立して根太材部から取り外しができるからメンテナンス的にも好適である。
【図面の簡単な説明】
【図１】床材と根太材の関係を示す平面図。
【図２】根太端末部分側の縦断面図。
【図３】図２のｘ−ｘ線断面図。
【図４】根太中間部分の縦断面図。
【図５】床材の取外し過程中の一部欠截平面図。
【図６】第二実施例の縦断面図。
【図７】図７は床材と根太材の関係を示す第二実施例の断面図。
【符号の説明】
１，１´    根太材
２          床材
４          床材受支片
５          床材受支片
５ｂ        ひれ部片
６          係合溝
７          取付金具
８          第二取付金具
２３        係止部片
【図１】
0003910055.tif 000002
【図２】
0003910055.tif 000003
【図３】
0003910055.tif 000004
【図４】
0003910055.tif 000005
【図５】
0003910055.tif 000006
【図６】
0003910055.tif 000007
【図７】
0003910055.tif 000008